(57)【要約】      （修正有）【課題】組立性及び意匠性の向上を図ったノック式筆記具を提供する。【解決手段】軸筒２の後端に波形形状を設けるとともに、円筒状部材９を軸筒２の後端に内設する。さらに、円筒状部材９の後部は軸筒２の後端から突出している。これにより、軸筒２後端の波形形状を利用して軸筒２を容易に位置決め固定することができるので、自動組立機械等において組立性が向上する。さらに、円筒状部材９を着色した場合において、波形形状により意匠性を向上させるものである。【選択図】図３
0003159535.tif 000002
【実用新案登録請求の範囲】
【請求項１】
略円筒状に形成され、後端に凸部と凹部で形成される波形形状が施されるとともに、クリップが一体に連設された軸筒と、
略円筒状に形成され、前記軸筒に内設されるとともに、後部が前記軸筒の後端から突出している円筒状部材と、
前記円筒状部材から後方に突出し、押圧操作により筆記可能状態に切り替えるノック部材と、
を有することを特徴とするノック式筆記具。
【請求項２】
前記軸筒に内在し、先端にペン先部を有する筆記具用のリフィールと、
前記リフィールを後方に付勢する弾発部材と、
前記円筒状部材の内周面に設けられた山部と溝部を有するカム部と、
略円筒状に形成され、外周面から外方に向けて突出するとともに前記カム部に係合可能に形成される突起部を有し、前記リフィールの後端部を保持する保持手段を有する回転子と、
前記ノック部材の前端縁周上に連続して山形状に設けられ、前記突起部と係合可能に形成される山形状カム部と、
を有することを特徴とする請求項２記載のノック式筆記具。
【考案の詳細な説明】
【技術分野】
【０００１】
本考案は、後端部をノックすることにより筆記可能状態とすることのできる、ノック式筆記具に関する。
【背景技術】
【０００２】
従来から、軸筒の後端に円筒状部材を内設させ、この円筒状部材の後端部分の一部を後方に突出させ、押圧操作に係るノック部材を円筒状部材から後方に突出させた筆記具が提供されている。より具体的には、ノック部材、中駒（カム部）、回転子よりなるノック機構を具備した筆記具（ボールペン）が開示されている。
【先行技術文献】
【特許文献】
【０００３】
【特許文献１】意匠登録第１１４１５１３号公報
【考案の概要】
【考案が解決しようとする課題】
【０００４】
上述の従来技術においては、例えば端面が斜めの形状等のグリップを自動組立機で挿入する場合を考慮すると、軸筒には通常このグリップの斜め形状の端面と対応する段部が形成されているため、軸筒を位置決め固定してグリップを挿入することとなる。この場合、軸筒を回転させて位置合わせを行うためには、自動組立機械等においてはセンサ等の複雑な位置合わせ構造が必要となる。さらに、円筒状部材をインク色毎に色分けした場合には、軸筒後端から僅かに突出する場合には筆記具側面からの色識別の視認性が悪く、かといって大きく突出させると意匠性が無い。
【課題を解決するための手段】
【０００５】
本考案は、略円筒状に形成され、後端に凸部と凹部で形成される波形形状が施されるとともに、クリップが一体に連設された軸筒と、略円筒状に形成され、前記軸筒に内設されるとともに、後部が前記軸筒の後端から突出している円筒状部材と、前記円筒状部材から後方に突出し、押圧操作により筆記可能状態に切り替えるノック部材と、を有することを特徴とするノック式筆記具、である。
【考案の効果】
【０００６】
本考案によれば、円筒状部材が軸筒内に内設された筆記具において、軸筒の後端を凸部と凹部で形成される波形形状に形成されている。よって、この波形形状と相似形の治具を用意して、この波形形状に治具を嵌め合わせて位置決め操作すれば、グリップの端面が斜め形状等の軸筒の軸芯に対して回転する方向の位置決めが必要な部材の挿入について自動組立機械等の構成を簡略化することができる。これと同時に、円筒状部材をインク色にしたり、軸色と色調の異なる色等してデザイン性を持たせた場合においても、軸筒後端の波形形状と相俟って、色彩の視認性が向上し、意匠性も向上させることができる。
【図面の簡単な説明】
【０００７】
【図１】本考案の実施例に係るノック式ボールペンの正面図である。
【図２】図１のＡ方向から見た図である。
【図３】本考案の実施例に係るノック式ボールペンの縦断面図である。
【図４】本考案の実施例に係るノック式ボールペンの縦断面図における要部拡大図である。
【考案を実施するための形態】
【０００８】
以下、図面を参照しつつ本考案の実施例について説明する。なお、以下の説明において、前方向は、ペン先側の方向を指す。
【実施例１】
【０００９】
図１は、本考案の実施例に係るノック式ボールペン１の正面図である。図２は図１のノック式ボールペン１をＡ方向から見た図であり、図３はノック式ボールペン１の縦断面図、図４はその要部拡大図である。
【００１０】
ノック式ボールペン１は、略円筒状に形成された軸筒２を有し、後方にはクリップ２ａが軸筒と一体的に形成されている。把持部には軟質材料により形成されるグリップ３が設けられている。グリップ３は、後端を曲線状に形成している。軸筒２の把持部２ｂには、グリップの曲線形状と相似形に形成される段部２ｂ１が設けられている。そして、グリップ３は、軸筒先端に螺合される先口４と軸筒２の段部２ｂ１とで狭持して固定されている。
【００１１】
軸筒２の内部には、ボールペンのリフィール５が設けられている。リフィール５は、図示しない筆記インクが充填されるインクタンク５ａと、インクタンク５ａと接続するボールペンチップ５ｂとから構成される。そして、インクタンク５ａの前方に形成される段部５ａ１と、先口４内に形成される段部４ａとの間には、弾発部材であるコイルスプリング６が設けられている。コイルスプリング６の付勢力により、リフィール５は後方に付勢されている。
【００１２】
一方、軸筒２の後方部位には、ノック部材７が外方に向けて突出形成されている。このノック部材７を押圧操作すると、後述するノック機構の作用によりボールペンチップ５ｂが先口４から出入し、筆記可能状態と解除状態を切替操作することができる。
【００１３】
ノック式ボールペン１のノック機構は、リフィール５（インクタンク５ａ）の後部を保持する保持手段８ａを有し、外方に板状の突起８ｂが複数形成される回転子８と、軸筒２の後部に内設する円筒状部材９の内周面に形成された山部９ａと溝部９ｂより構成されるカム部９０と、有底筒状に形成され、外周に形成された突起７ａと溝部９ｂとにより前後方向に移動自在にガイドされるノック部材７の開口側である前端周縁に形成される山形状の山形状カム部７ｂとで構成される公知のノック機構である。概略説明すると、ノック部材７の押圧によりノック部材７はコイルスプリング６の付勢力に反して前進する。すると、溝部９ｂにガイドされる回転子８の突起８ｂが溝９ａによるガイド規制が解除される。そして、山形状カム部７ｂと突起８ｂの後端部傾斜形状８ｂ１とが係合した後、後端部傾斜形状８ｂ１が山部９ａに沿って移動する。そして、突起８ｂ（後端部傾斜形状８ｂ１）が山部９ａに形成される段部に係合する。このとき、ボールペンチップ５ｂは先口４から突出した状態となり、筆記可能状態となる。筆記可能状態を解除するには、再度ノック部材７を押圧操作する。すると、突起８ｂ（後端部傾斜形状８ｂ１）と山部９ａの係合が解除される。その後、山形状カム部７ｂと突起８ｂの後端部傾斜形状８ｂ１とが係合する。そして、後端部傾斜形状８ｂ１が山部９ａに沿って移動した後、コイルスプリング６の付勢力に従って突起８ｂは溝部９ｂの溝に沿って後退することとなる。
【００１４】
本考案に係るノック式ボールペン１では、円筒状部材９にカム部９０が形成されている。この円筒状部材９は、略円筒状に形成される。円筒状部材９の前端は軸筒２の内部に形成される段部２ｃに突き当てられる。そして、円筒状部材９の外周面に環状に突出形成される環状突起９ｃと、この環状突起９ｃと対応して軸筒２内周に環状に形成される環状突起２ｄとの嵌合作用により、円筒状部材９は、軸筒２内に固定されている。
【００１５】
さらに、円筒状部材９の後部は、軸筒２の後端から一部を外方に露出している。ここで、軸筒２の後端部は、凸部２ｅと凹部２ｆが連続した波形形状として形成されている。よって、円筒状部材９を、例えばインク色と同色にして形成することにより、ノック式ボールペン１の側面視、特に図１の状態において、より視認性が高まる。さらには、凸部２ｅと凹部２ｆの波形形状により、円筒状部材９の着色と相俟って、意匠性を向上させることができる。
【００１６】
なお、円筒状部材９の軸筒２からの突出量は、好適には、ノック式ボールペン１の全長Ｌが１４０ｍｍの場合に、凸部２ｅの頂端部から円筒状部材９の後端面までの距離Ｓ１が１．５ｍｍ程度、凹部２ｆの頂端部から円筒状部材９までの距離Ｓ２が３ｍｍ程度である。
【００１７】
さらに、軸筒２を透明材料や、色付きの透明材料で形成することにより、円筒状部材９が着色される色と相俟って、様々な色彩を表現でき、さらに意匠性を高めることができる。
【００１８】
また、ノック式ボールペン１を自動組立機械にて組み立てる際には、グリップ３のように後端部が傾斜曲線状に形成される部材においては、組み付け挿入時に軸筒２の位置決めが必要である。このとき、凸部２ｅと凹部２ｆにより形成される波形形状を利用することができる。例えば、波形形状と相似形に形成された治具を凹部２ｆに突き当てる等すれば、軸筒２を治具の波形形状に倣って位置決めすることができる。軸筒２の軸芯回転方向の多少のズレは、波形形状に倣って修正される。さらに、これに加えて一体的に連設されるクリップ２ａの突出を利用して位置決め操作を行っても良い。
【００１９】
以上、本考案の実施例を詳細に説明したが、本考案はこれに限定されることなく、本考案の要旨を変更しない範囲で適宜変更することができる。
【００２０】
例えば、内部構造を変更して、ノック式ボールペン１をシャープペンシルに変更した場合でも、円筒状部材を波形形状に形成された軸筒後端面から突出させる構造を適用することができる。
【００２１】
また、波形形状を形成する凸部２ｅ及び凹部２ｆは、対向して２箇所ずつ設けても良いし、凸部２ｅ及び凹部２ｆを一組だけ設けても良い。
【符号の説明】
【００２２】
１  ノック式ボールペン
２  軸筒
２ａ  クリップ
２ｂ  把持部
２ｂ１  段部
２ｃ  段部
２ｄ  環状突起
２ｅ  凸部
２ｆ  凹部
３  グリップ
４  先口
４ａ  段部
５  リフィール
５ａ  インクタンク
５ａ１  段部
５ｂ  ボールペンチップ
６  コイルスプリング
７  ノック部材
７ａ  突起
７ｂ  山形状カム部
８  回転子
８ａ  保持手段
８ｂ  突起
８ｂ１  後端部傾斜形状
９  円筒状部材
９ａ  山部
９ａ  溝
９ｂ  溝部
９ｃ  環状突起
９０  カム部
【図１】
0003159535.tif 000003
【図２】
0003159535.tif 000004
【図３】
0003159535.tif 000005
【図４】
0003159535.tif 000006
【手続補正書】
【提出日】平成22年3月24日(2010.3.24)
【手続補正１】
【補正対象書類名】実用新案登録請求の範囲
【補正対象項目名】請求項２
【補正方法】変更
【補正の内容】
【請求項２】
前記軸筒に内在し、先端にペン先部を有する筆記具用のリフィールと、
前記リフィールを後方に付勢する弾発部材と、
前記円筒状部材の内周面に設けられた山部と溝部を有するカム部と、
略円筒状に形成され、外周面から外方に向けて突出するとともに前記カム部に係合可能に形成される突起部を有し、前記リフィールの後端部を保持する保持手段を有する回転子と、
前記ノック部材の前端縁周上に連続して山形状に設けられ、前記突起部と係合可能に形成される山形状カム部と、
を有することを特徴とする請求項１記載のノック式筆記具。